(57)【要約】【課題】予約録画の処理状況を示すべく映像記録装置から携帯型通信装置に送られる複数のダイジェスト映像情報を送信形態の種類に応じて確実に管理する映像記録装置及び携帯型通信装置を提供する。【解決手段】放送信号を受信する受信部と、映像音声信号を記録する記録部と、与えられた予約情報に基づき映像音声信号の予約録画を行う予約管理部と、外部装置と通信を行う通信部と、予約録画を行っている途中の所定時間毎の映像信号の一部をダイジェスト映像情報として複数回に渡り外部装置に送信し、その際に、そのダイジェスト映像情報が過去に送信したダイジェスト映像も含んでいるか否を示す送信モード情報も添付して送信するべく制御する制御部とをもつ映像記録装置と、上気した送信モード情報によりダイジェスト映像を上書き又は連結して保存する携帯型通信装置。【選択図】図１２
2006129170.tif 000002
【特許請求の範囲】
【請求項１】
放送信号を受信し復調して映像音声信号を出力する受信部と、
前記映像音声信号を記憶領域に記録する記録部と、
与えられた予約情報に基づき、前記受信部及び記録部を用いて前記映像音声信号の予約録画を行う予約管理部と、
外部装置と通信を行う通信部と、
前記予約録画を行っている途中の所定時間毎の前記映像信号の一部をダイジェスト映像情報として複数回に渡り前記通信部を介して前記外部装置に送信し、その際に、そのダイジェスト映像情報が過去に送信したダイジェスト映像も含んでいるか否を示す送信モード情報も、前記ダイジェスト映像情報に添付して送信するべく制御する制御部と、
を具備することを特徴とする映像記録装置。
【請求項２】
前記制御部は、前記外部装置から前記通信部を介して、前記ダイジェスト映像情報に過去に送信したダイジェスト映像も含ませるか否かの指示を受けると、この指示に応じて、前記受信部からの前記映像音声信号を用いて所望のダイジェスト映像情報を生成することを特徴とする請求項１記載の映像記録装置。
【請求項３】
前記制御部は、前記外部装置とから前記通信部を介して、前記ダイジェスト映像情報に過去に送信したダイジェスト映像も含ませるか否かの送信モードの指示を受けると、この指示に応じて、前記受信部からの前記映像音声信号を用いて所望のダイジェスト映像情報を生成することを特徴とする請求項１記載の映像記録装置。
【請求項４】
前記制御部は、前記外部装置とから前記通信部を介して、前記ダイジェスト映像情報に過去に送信したダイジェスト映像も含ませて送信する送信モードである上書きモードと、そのタイミングに関するダイジェスト映像のみを送信する送信モードである連結モードとの内の一方の送信モードに応じて、前記ダイジェスト映像情報を生成することを特徴とする請求項１記載の映像記録装置。
【請求項５】
前記ダイジェスト映像情報が過去に送信したダイジェスト映像も含んでいるか否を示す送信モード情報は、前記ダイジェスト映像情報に添付される情報であることを特徴とする請求項１記載の映像記録装置。
【請求項６】
外部装置と通信を行う通信部と、
与えられる映像情報を表示する表示部と、
前記通信部により前記外部装置と通信を行うことで、互いに関連した複数のダイジェスト映像情報を受信し、そのダイジェスト映像情報が過去に送信したダイジェスト映像も含んでいるか否を示す、前記ダイジェスト映像情報に添付されている送信モード情報を読み取り、この送信モード情報の種類に応じて前記複数のダイジェスト映像情報を処理して、処理結果に応じた映像を表示部に表示するべく制御する制御部と、
を具備することを特徴とする携帯型通信装置。
【請求項７】
前記通信部は、メールに添付された映像情報として、前記互いに関連した複数のダイジェスト映像情報を前記外部装置から受信することを特徴とする請求項６記載の携帯型通信装置。
【請求項８】
前記制御部は、前記送信モード情報が前記ダイジェスト映像情報が過去に送信されたダイジェスト映像も含んでいることを示している場合、前記ダイジェスト映像情報を受信するとそれまでのダイジェスト映像情報に上書き処理を行い、前記送信モード情報が前記ダイジェスト映像情報が過去に送信されたダイジェスト映像は含んでいないことを示している場合、前記ダイジェスト映像情報を受信するとそれまでのダイジェスト映像情報へと順次、結合処理を行うことを特徴とする請求項６記載の携帯型通信装置。
【請求項９】
前記制御部は、前記通信部を介して、前記外部装置へ予約録画指示を与え、この際に、前記ダイジェスト映像情報の送信形態に関する送信モードの指定を行うことを特徴とする請求項６記載の携帯型通信装置。
【請求項１０】
前記携帯型通信装置は、前記通信部を用いて外部の固定局と通信を行うことで他の携帯型通信装置と通話を行うべく、音声入力部と音声出力部とを備えた携帯型電話機であることを特徴とする請求項６記載の携帯型通信装置。
【請求項１１】
前記制御部は、スケジュール表に応じて情報を管理するスケジュール管理部により前記ダイジェスト情報を管理することを特徴とする請求項６記載の携帯型通信装置。
【請求項１２】
前記制御部は、スケジュール表に応じて情報を管理するスケジュール管理部を用いて、前記外部装置に与えた予約録画指示における録画予定の日時に、前記予約録画指示と前記ダイジェスト情報とを格納して管理することを特徴とする請求項６記載の携帯型通信装置。
【請求項１３】
放送映像を記録する映像記録装置とこれと通信可能な携帯型通信装置とをもつ映像記録システムであって、
放送信号を受信し復調して映像音声信号を出力する受信部と、前記映像音声信号を記憶領域に記録する記録部と、与えられた予約情報に基づき、前記受信部及び記録部を用いて前記映像音声信号の予約録画を行う予約管理部と、前記携帯型通信装置と通信を行う第1通信部と、前記予約録画を行っている途中の所定時間毎の前記映像信号の一部をダイジェスト映像情報として複数回に渡り前記第1通信部を介して前記携帯型通信装置に送信し、その際に、そのダイジェスト映像情報が過去に送信したダイジェスト映像も含んでいるか否を示す送信モード情報も、前記ダイジェスト映像情報に添付して送信するべく制御する第1制御部を有する映像記録装置と、
前記映像記録装置と通信を行う第２通信部と、与えられる映像情報を表示する表示部と、前記第２通信部により前記映像記録装置と通信を行うことで、互いに関連した複数のダイジェスト映像情報を受信し、前記ダイジェスト映像情報に添付されている送信モード情報を読み取り、この送信モード情報の種類に応じて前記複数のダイジェスト映像情報を処理して、処理結果に応じた映像を表示部に表示するべく制御する第２制御部を有する携帯型通信装置とを具備することを特徴とする映像記録システム。
【請求項１４】
前記携帯型通信装置の第２通信部は、メールに添付された映像情報として、前記互いに関連した複数のダイジェスト映像情報を前記映像記録装置から受信することを特徴とする請求項１３記載の映像記録システム。
【請求項１５】
前記携帯型通信装置の第２制御部は、前記送信モード情報が前記ダイジェスト映像情報が過去に送信されたダイジェスト映像も含んでいることを示している場合、前記ダイジェスト映像情報を受信するとそれまでのダイジェスト映像情報に上書き処理を行い、前記送信モード情報が前記ダイジェスト映像情報が過去に送信されたダイジェスト映像は含んでいないことを示している場合、前記ダイジェスト映像情報を受信するとそれまでのダイジェスト映像情報へと順次、結合処理を行うことを特徴とする請求項１３記載の映像記録システム。
【請求項１６】
前記携帯型通信装置の第２制御部は、前記第２通信部を介して前記映像記録装置へ前記予約情報を与え、この際に、前記送信モードの指定を行うことを特徴とする請求項１３記載の映像記録システム。
【請求項１７】
前記送信モード情報は、前記ダイジェスト映像情報に添付される情報であることを特徴とする請求項１３記載の映像記録システム。
【請求項１８】
映像記録装置と携帯型通信装置との間で行われる記録確認方法であって、
映像記録装置において、与えられた予約情報に基づき、放送信号を受信し復調して映像音声信号を記憶領域に記録することで予約録画を行い、
前記予約録画を行っている途中の所定時間毎の前記映像信号の一部をダイジェスト映像情報として複数回に渡り前記携帯型通信装置に送信し、その際に、そのダイジェスト映像情報が過去に送信したダイジェスト映像も含んでいるか否を示す送信モード情報も、前記ダイジェスト映像情報に添付して送信し、
前記携帯型通信装置において、前記映像記録装置と通信を行うことで、前記複数のダイジェスト映像情報を受信し、前記ダイジェスト映像情報に添付されている送信モード情報を読み取り、
前記送信モード情報の種類に応じて前記複数のダイジェスト映像情報を処理し、処理結果に応じた映像を前記携帯型通信装置の表示部に表示することを特徴とする記録確認方法。
【請求項１９】
前記映像記録装置と携帯型通信装置とは、メールに添付された映像情報として、前記複数のダイジェスト映像情報を送受信することを特徴とする請求項１８記載の記録確認方法。
【請求項２０】
前記携帯型通信装置において、前記送信モード情報が前記ダイジェスト映像情報が過去に送信されたダイジェスト映像も含んでいることを示している場合、前記ダイジェスト映像情報を受信するとそれまでのダイジェスト映像情報に上書き処理を行い、前記送信モード情報が前記ダイジェスト映像情報が過去に送信されたダイジェスト映像は含んでいないことを示している場合、前記ダイジェスト映像情報を受信するとそれまでのダイジェスト映像情報へと順次、結合処理を行うことを特徴とする請求項１８記載の記録確認方法。
【発明の詳細な説明】
【技術分野】
【０００１】
この発明は、放送映像を予約録画する映像記録装置とこれと通信可能な携帯型記録装置に関し、特に、携帯型通信装置において予約録画の進行を確認する映像記録装置、携帯型通信装置、映像記録システム及び記録確認方法に関する。
【背景技術】
【０００２】
近年、ハードディスクなどの記憶装置の大容量化、又動画、静止画などの各種コンテンツのディジタル化に伴い、ＨＤＤ（Hard Disc Driver）−ＤＶＤ(Digital Versatile Disc)レコーダを筆頭に多くのディジタル機器が大容量の記憶装置を持つようになってきている。
【０００３】
これら記憶装置の代表的な使い方の一つがＴＶ映像の録画である。ユーザは従来のアナログビデオ録画装置と同様、又はそれ以上の使い勝手を持ったディジタル録画装置に多いに関心を持ち、その市場は年々増加している。
【０００４】
このような映像記録装置においては、予約録画を容易に行うことができるが、この予約録画の進行状況を離れた場所から確認したいという要望がある。
【０００５】
特許文献１においては、例えば、録画中又は録画済のビデオデータの一部分を、携帯電話等のモバイル端末で再生可能な形式に変換し、録画完了時と録画中の適当な間隔でモバイル端末に対して、動画メールとして送信し、録画ミスを早期にチェックしたり、ダイジェストをチェックする機能が考案されている。
【特許文献１】特開２００２−３７４４８４号公報。
【発明の開示】
【発明が解決しようとする課題】
【０００６】
しかし、特許文献１の従来技術においては、例えば、予約録画の進行状況を知るべく、例えば、一定時間間隔のダイジェスト映像をメールに添付して送信した場合、これらの複数回のダイジェスト映像が、例えば携帯電話に蓄積されていくが、これらをどのように管理するかが判らないという問題がある。又、どのような信号形態（送信モード）の複数のダイジェスト映像が送受信されるかが判らないという問題がある。
【０００７】
本発明は、予約録画の処理状況を示すべく映像記録装置から携帯型通信装置に送られる複数のダイジェスト映像情報を送信形態の種類に応じて確実に管理することが可能な映像記録装置及び携帯型通信装置を提供することを目的とする。
【課題を解決するための手段】
【０００８】
上記課題を解決するべく、放送信号を受信し復調して映像音声信号を出力する受信部と、前記映像音声信号を記憶領域に記録する記録部と、与えられた予約情報に基づき、前記受信部及び記録部を用いて前記映像音声信号の予約録画を行う予約管理部と、外部装置と通信を行う通信部と、前記予約録画を行っている途中の所定時間毎の前記映像信号の一部をダイジェスト映像情報として複数回に渡り前記通信部を介して前記外部装置に送信し、その際に、そのダイジェスト映像情報が過去に送信したダイジェスト映像も含んでいるか否を示す送信モード情報も、前記ダイジェスト映像情報に添付して送信するべく制御する制御部とを具備することを特徴とする映像記録装置である。
【発明の効果】
【０００９】
上記した映像記録装置によれば、予約録画が行われている途中の一定時間毎の複数のダイジェスト映像は、例えば、それまでのダイジェスト映像を累積して上書きした状態で転送する上書きモードと、その時だけのダイジェスト映像のみを送る連結モード等が好適となる。ここでは、録画処理を行うハードディスクレコーダ等において、ダイジェスト映像をメールに添付して送付するが、この際に、例えば、この送信モード情報をもメールやダイジェスト映像に添付して携帯電話等に送るものである。これにより、携帯電話等の携帯型通信装置において、上書きモードであれば、ダイジェスト映像が送られる度に今までのダイジェスト映像に上書きを行うこととなる。又、連結モードであれば、ダイジェスト映像が送られる度に今までのダイジェスト映像に結合していくこととなる。
【００１０】
これにより、携帯電話等において、例えば、２時間の予約録画の予約録画状況を１０分毎に１２回確認したとしても、携帯電話等においては、一つのダイジェスト映像でその状況を確認することが可能となる。このため、送信モード情報を用いることで、詳細な予約録画確認を常に一つのダイジェスト映像のファイルで管理することが可能となる映像記録装置及びこれと通信可能な携帯型通信装置を提供することができる。
【発明を実施するための最良の形態】
【００１１】
以下、この発明の実施の形態について図面を参照して詳細に説明する。  
ここで、映像記録装置は、例えば、ＤＶＤ（Digital Versatile Disk）や内蔵するＨＤ（Hard Disc）に放送番号の予約録画が可能なハードディスクレコーダ等であり、更に、携帯型通信装置は、例えば、メール送受信機能付き、動画再生機能付きの携帯電話等が好適である。図１は、本発明の一実施形態に係る映像記録装置の構成の一例を示すブロック図、図２は、本発明の一実施形態に係る映像記録装置から動画メールを受ける携帯型通信装置の構成の一例を示すブロック図である。
【００１２】
＜映像記録装置の構成と動作＞
初めに、本発明の一実施形態に係るハードディスクレコーダ等の映像記録装置Ｒは、図１に示すように、全体の動作を司り、ダイジェスト映像を扱う録画メール処理部を有する主制御部１１を有しており、ここで、主制御部１１は、更に、ユーザインタフェース、予約録画処理部、電子番組表処理部、ＤＶＤ−Ｒ作成処理部、ビデオ編集処理部、ダビング処理部、著作権保護処理部等を有している。更に、映像記録装置Ｒは、映像信号を取り入れるビデオ入力部１２と、音声信号を取り入れる音声入力部１３と、アンテナから放送信号を受信して選局して復調し、映像音声信号を出力するチューナ部１４とを有している。更に、先の主制御部１１にそれぞれ接続されるＭＰＥＧ−２エンコーダ部１５と、ＭＰＥＧ−４エンコーダ部１６と、ＰＣＭエンコーダ部１７と、ディスクコントローラ１８と、ハードディスクドライブ１９と、ＤＶＤ−ＲＡＭ２０と、ＬＡＮコントローラ２２と、イーサネット（登録商標）モジュール２３と、ＭＰＥＧ−２エンコーダ２４と、ＰＣＭデコーダ部２５と、フロントパネル制御部２６と、スイッチ入力部２７と、フロントパネル表示部２８と、ビデオ出力部２９と、音声入力部３０とを有している。
【００１３】
このようなハードディスクレコーダ等の映像記録装置Ｒは、例えば、チューナ部１４からの映像音声信号を、主制御部１１の動作により予約録画を行い、映像音声信号をハードディスクドライブ１９、又は、ＤＶＤ−ＲＡＭドライブ２０に記録する。又、録画した映像音声信号を、スイッチ入力部２７等を介したユーザの操作に応じて、主制御部１１の制御下において再生処理を行うものである。
【００１４】
＜携帯型通信装置の構成と動作＞
次に、本発明の一実施形態に係る携帯電話等の携帯型通信装置Ｍは、図２に示すように、全体の動作を司り、ダイジェスト映像を扱う録画メール処理部を有する主制御部６１を有しており、ここで、主制御部６１は、更に、ユーザインタフェース、Ｗｅｂブラウザ部、メール処理部、データベース管理部、著作権略処理部、ファイルシステム、アプリケーション実行部等を有している。更に、携帯型通信装置Ｍは、電源を各部に供給するバッテリ６２と、これに接続され充電状態を制御する充電制御部６３と、アンテナ部６４と、これに接続され切替を行うアンテナ切替部６５と、これに接続される高周波送信部６６と、シンセサイザ部６７と、高周波受信部６８とを有している。又、更に、携帯型通信装置Ｍは、これらの出力信号を受ける信号処理／フィルタ部６９と、主制御部６１に接続されて動作管理され、音声入力部７９から音声信号が供給される音声エンコーダ部７３と、信号処理／フィルタ部６９からの出力が供給される音声デコーダ部７４とを有している。更に、携帯型通信装置Ｍは、ＳＤカードスロット７０と、フラッシュＲＯＭ７１とを有しており、ＳＤ／フラッシュコントローラ７２を介して、主制御部６１に接続されている。更に、携帯型通信装置Ｍは、主制御部６１にそれぞれ接続されて、ＭＰＥＧ−２でコーダ部７５と音声デコーダ部７４の出力をミキシングする音声ミキシング部８０と、音声出力部８１とを有しており、又、操作系・表示系として、表示パネル制御部７６と、スイッチ入力部７７と、ＬＣＤ表示部７８とを有している。
【００１５】
このような携帯電話等の携帯型通信装置は、携帯電話の基本的な機能として、主制御部６１の制御下において、音声入力部７９から音声が入力され、更に、音声出力部８１から相手の音声を出力される状態で、アンテナ部６４を介し図示しない固定局と無線通信を行うことにより、他の携帯電話や固定電話等と通話が可能である。
【００１６】
又、更に、主制御部６１の特にメール処理部やＷｅｂブラウザ部等の制御下において、他の電話機との通話以外にも、図示しない固定局と通信を介して電子メールの通信やＷｅｂブラウザを表示することが可能となるものである。更に、メールを送受信することで、例えば、ハードディスクレコーダ等の映像記録装置の録画予約等の処理や、以下に詳細に述べる予約録画の確認処理を行うことができる。更に、主制御部６１やＭＰＥＧ−２でコーダ部７５の働きに基づき、動画再生機能も有している。
【００１７】
例えば、本発明に係る携帯電話等の携帯型通信装置Ｍにおいては、映像記録装置Ｒからレコーダに録画予約を行う際に、どのようにダイジェストを作成するかの転送モードを指定することが可能である。これは、一例として、“’recorder cmd”のコマンド特定文字列に引き続き、“reserve”を記述することで録画予約を可能とし、その後に予約開始時刻及び予約終了時刻、録画チャネルを設定できるものとする。その後に ’digest connect’ を指定することで、例えば、連結モードであることを示すものである。  
以下、フローチャート等を用いて、これらの処理について詳細を説明する。
【００１８】
＜ダイジェスト映像の処理動作＞
次に、本発明の一実施形態である予約録画の進捗状況を確認するためのダイジェスト映像の処理について、図面を用いて詳細に説明する。図３は、本発明の一実施形態に係る映像記録装置における動画メール処理の一例を示すフローチャート、図４は、同じく携帯型通信装置における動画メール処理の一例を示すフローチャート、図５乃至図６は、同じく携帯型通信装置における動画メール処理の一例を示すフローチャート、図７は、同じく携帯型通信装置における動画メール処理中の特定文字列検出処理の一例を示すフローチャート、図８は、同じく上書き処理の一例を示すフローチャート、図９は、同じく連結処理の一例を示すフローチャート、図１０は、同じく映像記録装置と携帯型通信装置における動画メール処理の一例を説明する説明図、図１１は、同じく映像記録装置と携帯型通信装置における動画メール処理の一例を説明するタイミングチャート、図１２は、同じく映像記録装置と携帯型通信装置における動画メール処理の一例を説明するタイミングチャートである。
【００１９】
（映像記録装置でのダイジェスト映像の処理動作）  
初めに、映像記録装置Ｒでのダイジェスト映像の処理動作について、図３のフローチャートを用いて詳細に説明する。初めに、映像記録装置Ｒにおいて、主制御部１１の予約録画処理部の働きにより、ユーザにより設定された予約情報に応じて、所望の時刻になったことに対応して予約録画が開始される。この時、この予約情報は、主制御部１１のメール処理部の機能を介して、移動型通信装置Ｍにより与えられるものであってもよい。
【００２０】
映像記録装置Ｒにおいて、予約録画が実行されている状況において、初めに、現在時刻をチェックする(Ｓ１１)。そして、ダイジェスト映像の作成開始時刻となったら(Ｓ１２)、
録画中の録画映像と音声情報を記憶領域に格納し(Ｓ１３)、動画変換処理を行う（Ｓ１４）。
【００２１】
そして、ＭＰＥＧ−４の映像と音声とを記憶領域に格納し（Ｓ１４−２）、上書きモード又は連結モードでファイル作成処理を行う（Ｓ１５）。なお、この時の動画は、一例として、ＭＰＥＧ−４の動画情報であることが好適であるが、これに限定されるものではない。
【００２２】
又、ダイジェストを作成するタイミング及び手法は特に規定しないが、録画番組をリアルタイムに、又は録画済の番組からシーン切り替わり点を画像処理によって検出し、シーン切り替わり点から数秒間をダイジェスト映像としてＭＰＥＧ−４動画に変換するという方法が好適である。
【００２３】
ここで、すなわち、上書きモード又は連結モードにおいて、上書きモードであれば録画中の所定時刻のダイジェスト映像Ｄ１，Ｄ２，Ｄ３等について、過去に送信したダイジェスト映像も含んだ状態のダイジェスト映像を生成する。又、連結モードであれば録画中の所定時刻のダイジェスト映像Ｄ１，Ｄ２，Ｄ３等について、過去に送信したダイジェスト映像を含めることなく、単独で、例えば、ダイジェスト映像Ｄ３等のように単体のダイジェスト映像を生成して、新規メール作成処理を行う（Ｓ１６）。
【００２４】
そして、ダイジェスト番号をチェックして（Ｓ１７）、初回であればメッセージＩＤを保存する（Ｓ１８）。更に、二回目以降であれば、前回のメッセージＩＤをメッセージＩＤデータベース（Ｓ１９）から検索して（Ｓ２０）、格納されているメッセージＩＤにリフェレンスヘッダを追加する（Ｓ２２）。そして、このように作成された新規メールにリフェレンスヘッダと“recorder cmd”等の文字列を追加する（Ｓ２３）。その後、一例として、“’recorder cmd”のコマンド特定文字列に引き続き、“reserve”を記述することで録画予約を可能とし、その後に予約開始時刻及び予約終了時刻、録画チャネルを設定することができる。更に、現在の転送モードをメモリ領域で確認し（Ｓ２５）、上書きモードであればメールに例えば“result digest update”等の文字列を追加し（Ｓ２８）、連結モードであれば、メールに例えば“result digest connect”等の文字列を追加して（Ｓ２７）、これらの文字列をファイルに添付する（Ｓ２９）。
【００２５】
その後、このメールを通信部であるＬＡＮコントローラ２２やイーサネット（登録商標）モジュール２３を介して、携帯電話等の携帯型通信装置Ｍに転送し（Ｓ３０）、ダイジェスト番号を加算するものである（Ｓ３１）。
【００２６】
（移動型通話装置でのダイジェスト映像の処理動作：スケジューラ機能）  
次に、図４のフローチャートを用いて、携帯電話である携帯型通信装置Ｍにおいてのダイジェスト映像の処理動作を説明する。初めに、携帯型通信装置Ｍにおいてのスケジューラ機能の動作を説明する。携帯電話である携帯型通信装置Ｍにおいて、主制御部６１の働きとして、動画メールを受信すると（Ｓ７１）、動画ファイルを抽出する（Ｓ７２）。そして、録画時刻を抽出すると（Ｓ７３）、これを検索キーとして記憶領域に格納し（Ｓ７４）、スケジューラの登録チェックを行う（Ｓ７５）。ここで、登録済みであれば（Ｓ７６）、既存の登録動画の削除を行い（Ｓ７７）、動画ファイルを登録処理するものである（Ｓ７８）。
【００２７】
登録済みでなければ、スケジュールの新規登録を行い（Ｓ７９）、動画登録処理を行うものである（Ｓ８０）。これらの動作に応じて、スケジューラデータが記憶領域に格納される（Ｓ８１）。
【００２８】
又、携帯型通話装置Ｍにおいてのスケジューラ機能を用いた予約確認処理の動作が示されている。図５のフローチャートにおいて、例えば、ユーザにより予約確認処理が指示されれば（Ｓ９１）、予約確認の通知メールを送信し（Ｓ９２）、ここで、予約データを受信して（Ｓ９３）、予約データを解析する（Ｓ９４）。ここで、この予約データを記憶領域に録画予約情報として格納する（Ｓ９７）。そして、次に、スケジューラの登録をチェックする（Ｓ９５）。ここで、登録済みであれば（Ｓ９６）、これにおいて、予約確認処理の登録が終了する（Ｓ１００）。もし、ここで登録済みでなければ、記憶領域に格納された録画予約情報（Ｓ９７）に応じて、スケジュール新規作成処理を行い（Ｓ９８）、スケジューラデータを格納する（Ｓ９９）。
【００２９】
このように携帯型通話装置Ｍにおいて、スケジューラ機能を用いて録画予約確認処理が可能であり、予約情報をスケジューラの日程に応じて管理していくものである。更に、以下に記載されるダイジェスト映像にリンクを張るものであり、これによれば、スケジューラの画面上で録画予約情報と録画内容であるダイジェスト映像との両方を参照することができる。
【００３０】
（移動型通話装置でのダイジェスト映像の処理動作）
次に、移動型通話装置Ｍにおいて、メールにより受け取ったダイジェスト映像の処理動作を図６のフローチャートを用いて説明する。移動型通話装置Ｍにおいて、主制御部１１の録画メール処理部の働きによりメール受信が完了すると（Ｓ１０１）、メール本文をチェックし（Ｓ１０２）、メール本文から特定の文字列を検出する（Ｓ１０３）。この特定の文字列の検出については、次の図７のフローチャートにて説明する。この文字列がある場合は、これを記憶領域に格納する（Ｓ１１２）。
【００３１】
ここで、メール本文の中に特定識別文字列が含まれていれば（Ｓ１０４）、添付ファイルの検出を行い（Ｓ１０５）、動画ファイルの検出を行う。動画ファイルが添付されていれば（Ｓ１０６）、リフェレンスヘッダを検出して（Ｓ１０７）、これが存在すれば記憶領域に格納する（Ｓ１１４）。ここで、ヘッダがなければ、動画ファイルを新規に保存する（Ｓ１１５）。ここで、ヘッダがあれば（Ｓ１０８）、与えられた転送モードの種類に応じて、上書きモードであれば上書き処理を行い（Ｓ１１０）、更に、連結モードであれば連結処理を行う（Ｓ１１１）。これらの、上書きモード時の上書き処理、連結モード時の連結処理については、以下のサブルーチンで説明する。
【００３２】
なお、ここでは、連続したダイジェスト映像ファイルを認識する方法としては、メールの返信時にメールヘッダに付加されるリフェレンス識別子によって、以前のメールとのマッチングを行うことで認識しているが、リフェレンス識別子ではなく、メールの本文内の特定文字列やメールタイトルを用いることも好適である。
【００３３】
又、このように作成されたダイジェスト映像は、予約情報にリンクされており、ユーザは、携帯型通話装置Ｍのスケジューラの画面から、録画予約情報と録画内容であるダイジェスト映像との両方を参照することができる。
【００３４】
又、この結果、ユーザが、放送番組の放送と録画時間とにずれを発見したら、主制御部の制御下の元、再度、予約情報をメールに添付して、映像録画装置Ｒへと転送することで、最適な時間へ録画時間を移動することが可能となる。
【００３５】
（特定文字検出処理）
次に、先のステップＳ１０３における特定文字検出処理について、図７のフローチャートを用いて説明する。すなわち、特定文字列検出を開始し、メール本文の一行目から読み出し（Ｓ１２１）、記憶領域に格納する（Ｓ１２５）。ここで“recorder cmd”を含んでおり（Ｓ１２２）、更に、“result digest connect”を含んでいれば（Ｓ１２３）、動作モードを連結モードと認識する（Ｓ１２６）。そして、この連結モードを記憶領域に保存する（Ｓ１２７，Ｓ１２８）。なお、この特定文字列は、メール本文にあることが好適だが、例えばメールタイトルであっても可能である。
【００３６】
又、ここで、メール本文に“result digest update”を含んでいれば、動作モードを上書きモードと認識して（Ｓ１２９）、これを記憶領域に保存するものである（Ｓ１３０，Ｓ１３１）。これにより、記憶領域において現在の動作モードが格納される。
【００３７】
（ダイジェスト映像の上書き処理）  
次に、移動型通信装置における上書き処理を、図８のフローチャート及び図１１及び図１２の説明図を用いて説明する。すなわち、これらの図において、過去のメールデータを検索し（Ｓ１４１）、記憶領域のリフェレンス（Ｓ１４７）が、現在送られてきたメールの該当リファレンスに該当しなければ（Ｓ１４２）、新規ファイルとしてファイル名（Ｓ１４９）に応じて記憶領域に保存する（Ｓ１５０）。
【００３８】
該当するリファレンスのメールがあれば（Ｓ１４２）、該当する添付ファイル名を検索して（Ｓ１４３）、そのファイルを削除し（Ｓ１４４）、今回送られてきた新規ファイルを保存する（Ｓ１４５）。この際に、以前のファイル名を用いてファイル名を更新する（Ｓ１４６）。
【００３９】
これは例えば、図１１においては、複数回の動画送信（Ｓ１７１〜Ｓ１７４）の際に、図１２の『処理内容』に示すように、既存ファイルを削除して新規ファイルを保存することが示されている。
【００４０】
（ダイジェスト映像の連結処理）  
次に、移動型通信装置における連結処理を、図９のフローチャート及び図１１及び図１２の説明図を用いて説明する。すなわち、これらの図において、初めに、過去のメールデータを検索し（Ｓ１５１）、現在送られてきたメールのリファレンスに該当するリファレンスのメールがなければ（Ｓ１５２）、新規ファイルとしてファイル名（Ｓ１５９）に応じて保存する（Ｓ１６１）。
【００４１】
又、ここで、該当リファレンスのメールがデータベース（Ｓ１５８）に存在しなければ、（Ｓ１５２）、この添付ファイル名を検索して（Ｓ１５３）、以前のファイルに新たなファイルを連結するべく、連結モードをオープンする（Ｓ１５４）。そして、受信メールの添付データを展開し（Ｓ１５５）、ファイル連結処理を行うものである（Ｓ１５６）。すなわち、これは例えば、図１２に示すように、ダイジェスト映像Ｄ１〜Ｄ４がそのつど連結されていき、一つの連結ファイルとして保存されるものである。
【００４２】
このように、本発明に係る映像記録装置及び携帯型通信装置によれば、ユーザは、携帯型通信装置から、例えば自宅のハードディスクレコーダである映像記録装置Ｒの予約録画の予約処理を行うことができ、予約録画状況の確認のためのダイジェスト映像を閲覧することができる。又、この際、ダイジェスト映像の転送モードを携帯型通信装置から指定することが可能となる。又、ここで、映像記録装置から携帯型通信装置へと転送されてきたダイジェスト映像の転送モードは、メールに添付されたテキスト等の転送モード情報により特定することができるので、ユーザの特別な操作を必要とすることなく、自動的に複数回に渡り転送されてきたダイジェスト映像は、常に閲覧しやすい一つの動画ファイルとして携帯型通信装置に保存されることとなる。
【００４３】
なお、上述したスケジューラで現在の予約録画状況を確認した後に、番組延長などで開始時間がずれていた場合は、モバイル端末側からデジタルビデオ録画装置に対して録画延長などの通知をメールで行うことで、録画ミスを事前に防止することが可能となる。
【００４４】
又、上述した実施形態に限らず、ダイジェスト映像については、ユーザの指定によって連結しない動画を作成して送信することも好適である。すなわち、動画データ内には録画開始時刻や番組情報などを含めることでモバイル端末での、どの予約に対応する動画データであるのかを容易に判別可能とするものである。
【００４５】
又、図１１において、ダイジェスト映像の作成時間の判定は、録画開始時点からの経過時間によって算出し、ここでは一例として、録画開始時点から１５秒間、ＣＭ終了と予想される録画開始時点から３分後から１５秒間、それ以外は５分間隔で１５秒間、予約録画終了時刻の１５秒前から１５秒間とする。しかし、作成タイミングに関しては番組内容、録画時間などによって変更してもよい。
【００４６】
又、上述した実施形態においては、デジタルビデオ録画装置としてＨＤＤ内蔵ＤＶＤレコーダをモバイル端末として動画対応携帯電話機を用いたが、デジタルビデオ録画装置にはデジタルテレビジョン、ＴＶチューナ内蔵パソコン等であっても構わない。又、モバイル端末は、無線ＬＡＮを含む通信機能を有しているＰＤＡやノートブック型パソコンであってもよい。更に、デジタルビデオ録画装置で作成されたダイジェスト映像をメールで送信しているが、動画ファイルへのリンクを用いることも可能である。
【００４７】
又、更に、実施形態では、録画開始時刻を動画ファイルに埋め込むことにしているが、メール本文などに記載する形式をとっても良い。
【００４８】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４９】
【図１】本発明の一実施形態に係る映像記録装置の構成の一例を示すブロック図。
【図２】本発明の一実施形態に係る映像記録装置から動画メールを受ける携帯型通信装置の構成の一例を示すブロック図。
【図３】本発明の一実施形態に係る映像記録装置における動画メール処理の一例を示すフローチャート。
【図４】本発明の一実施形態に係る携帯型通信装置における動画メール処理の一例を示すフローチャート。
【図５】本発明の一実施形態に係る携帯型通信装置における動画メール処理の一例を示すフローチャート。
【図６】本発明の一実施形態に係る携帯型通信装置における動画メール処理の一例を示すフローチャート。
【図７】本発明の一実施形態に係る携帯型通信装置における動画メール処理中の特定文字列検出処理の一例を示すフローチャート。
【図８】本発明の一実施形態に係る携帯型通信装置における動画メール処理中の上書き処理の一例を示すフローチャート。
【図９】本発明の一実施形態に係る携帯型通信装置における動画メール処理中の連結処理の一例を示すフローチャート。
【図１０】本発明の一実施形態に係る映像記録装置と携帯型通信装置における動画メール処理の一例を説明する説明図。
【図１１】本発明の一実施形態に係る映像記録装置と携帯型通信装置における動画メール処理の一例を説明するタイミングチャート。
【図１２】本発明の一実施形態に係る映像記録装置と携帯型通信装置における動画メール処理の一例を説明するタイミングチャート。
【符号の説明】
【００５０】
Ｒ…映像記録装置、Ｍ…携帯型通信装置、１１…主制御部、１２…ビデオ入力部、１３…音声入力部、１４…チューナ部、１５…ＭＰＥＧ−２エンコーダ部、１６…ＭＰＥＧ−４エンコーダ部、１７…ＰＣＭエンコーダ部、１８…ディスクコントローラ、１９…ハードディスクドライブ、２０…ＤＶＤ−ＲＡＭ、２２…ＬＡＮコントローラ、２３…イーサネット（登録商標）モジュール、２４…ＭＰＥＧ−２エンコーダ、２５…ＰＣＭデコーダ部、２６…フロントパネル制御部、２７…スイッチ入力部、２８…フロントパネル表示部、２９…ビデオ出力部、３０…音声入力部。
【図１】
2006129170.tif 000003
【図２】
2006129170.tif 000004
【図３】
2006129170.tif 000005
【図４】
2006129170.tif 000006
【図５】
2006129170.tif 000007
【図６】
2006129170.tif 000008
【図７】
2006129170.tif 000009
【図８】
2006129170.tif 000010
【図９】
2006129170.tif 000011
【図１０】
2006129170.tif 000012
【図１１】
2006129170.tif 000013
【図１２】
2006129170.tif 000014